(57)【要約】【課題】少ないスペースで上ケースと下ケースとを繋ぐ電気配線を確実に収納できるトイレ装置を提供する。【解決手段】便器の上に固定される下ケースと、前記下ケースに対して上方から取り付けられる上ケースと、前記下ケースに取り付けられた第１の部品と、前記上ケースに取り付けられた第２の部品と、前記第１の部品と、前記第２の部品と、を接続する電気配線と、前記電気配線を支持する支持体と、前記下ケース及び前記上ケースのいずれかに取り付けられ、前記支持体をスライド自在に支持するレールと、を備えたことを特徴とするトイレ装置を提供する。【選択図】図６
2013221248.tif 000002
【特許請求の範囲】
【請求項１】
便器の上に固定される下ケースと、
前記下ケースに対して上方から取り付けられる上ケースと、
前記下ケースに取り付けられた第１の部品と、
前記上ケースに取り付けられた第２の部品と、
前記第１の部品と、前記第２の部品と、を接続する電気配線と、
前記電気配線を支持する支持体と、
前記下ケース及び前記上ケースのいずれかに取り付けられ、前記支持体をスライド自在に支持するレールと、
を備えたことを特徴とするトイレ装置。
【請求項２】
前記上ケースを前記下ケースに取り付けたときに前記電気配線のたるみを抑制する方向に、前記支持体を付勢する付勢手段をさらに備えたことを特徴とする請求項１記載のトイレ装置。
【請求項３】
前記レールは、前記上ケースに取り付けられたことを特徴とする請求項１または２に記載のトイレ装置。
【請求項４】
前記レールは、前記下ケース及び前記上ケースのいずれかにフックで固定されたことを特徴とする請求項１または２に記載のトイレ装置。
【請求項５】
前記レールは、前記下ケース及び前記上ケースのいずれかにねじで固定されたことを特徴とする請求項１または２に記載のトイレ装置。
【請求項６】
前記レールは、前記下ケース及び前記上ケースのいずれかに両面粘着テープで固定されたことを特徴とする請求項１または２に記載のトイレ装置。
【請求項７】
前記レールは、前記下ケース及び前記上ケースのいずれかと一体的に成形されたことを特徴とする請求項１または２に記載のトイレ装置。
【発明の詳細な説明】
【技術分野】
【０００１】
本発明の態様は、一般的に、便座暖房機構や温水洗浄機構などを備え便器に付設されるトイレ装置に関する。
【背景技術】
【０００２】
便座を暖める便座暖房機構や、便座に座った使用者のおしりなどを洗浄水で洗浄する温水洗浄機構などを備えたトイレ装置がある。これらのトイレ装置は、便器の後部に固定される下ケースと、下ケースに対して上方から取り付けられる上ケースと、を備える（特許文献１〜３）。
【０００３】
これら下ケースと上ケースとは、電気配線で繋がれている場合がある。例えば、温水洗浄機構を有するトイレ装置の場合、下ケースには、温水洗浄機構を駆動制御する制御基板が配置される。一方、上ケースには、温水洗浄機構の機能部のひとつであるリモコン受光部などが配置される。これら制御基板とリモコン受光部とは、上下ケース内で、電気配線により接続される。そのため、結果として、上ケースと下ケースとは、この電気配線により繋がれることとなる。
【０００４】
下ケースと上ケースとを繋ぐ電気配線の長さが短いと、製品の組立作業やメンテナンス作業において、上ケースを開き辛くなるため、作業性が悪くなる。一方で、下ケースと上ケースとを繋ぐ電気配線の長さが長いと、下ケースと上ケースとを嵌合する際に、両ケース間に電気配線を噛みこまないように注意しなければならないため、作業性が悪くなる。また、長い電気配線を収納するためのスペースが必要となるため、トイレ装置本体のサイズが大きくなるという問題も生ずる。  
【先行技術文献】
【特許文献】
【０００５】
【特許文献１】特開２００３−２９３４２９号公報
【特許文献２】特開２０１０−１９６３６８号公報
【特許文献３】特開２００２−８１１２２号公報
【発明の概要】
【発明が解決しようとする課題】
【０００６】
本発明は、かかる課題の認識に基づいてなされたものであり、少ないスペースで上ケースと下ケースとを繋ぐ電気配線を確実に収納できるトイレ装置を提供することを目的とする。
【課題を解決するための手段】
【０００７】
第１の発明は、便器の上に固定される下ケースと、前記下ケースに対して上方から取り付けられる上ケースと、前記下ケースに取り付けられた第１の部品と、前記上ケースに取り付けられた第２の部品と、前記第１の部品と、前記第２の部品と、を接続する電気配線と、前記電気配線を支持する支持体と、前記下ケース及び前記上ケースのいずれかに取り付けられ、前記支持体をスライド自在に支持するレールと、を備えたことを特徴とするトイレ装置である。
【０００８】
このトイレ装置によれば、製品の組立作業やメンテナンス作業においては、電気配線は伸びた状態となり、上ケースを開き易くなるため、作業性が向上する。一方で、上ケースを下ケースに嵌合する際には、電気配線はレールに沿って折りたたまれた状態となるので、上下ケース間に電気配線を噛みこむことがなく、作業性が向上する。また、電気配線は、レールに沿って折りたたまれた状態で収納されるので、収納するためのスペースも小さくて済み、トイレ装置本体のサイズもコンパクトにできる。
【０００９】
第２の発明は、第１の発明において、前記上ケースを前記下ケースに取り付けたときに前記電気配線のたるみを抑制する方向に、前記支持体を付勢する付勢手段をさらに備えたことを特徴とするトイレ装置である。
【００１０】
このトイレ装置によれば、上ケースを下ケースに取り付けるとき、支持体はスプリングなどにより付勢されて、電気配線のたるみを抑制する方向に順次移動する。その結果として、電気配線は、上下ケースの間隔が狭くなるに従って順次折りたたまれ、収納状態にスムーズに移行できる。
【００１１】
第３の発明は、第１または第２の発明において、前記レールは、前記上ケースに取り付けられたことを特徴とするトイレ装置である。
【００１２】
下ケースと比べて上ケースのほうが、取り付けられている部品の点数が少なく、レールを取り付けるスペースも確保しやすい。つまり、上ケースにレールを取り付けると、部品レイアウトなどを変更することなく、レールを取り付けることが可能となる点で有利となる場合がある。
【００１３】
第４の発明は、第１または第２の発明において、前記レールは、前記下ケース及び前記上ケースのいずれかにフックで固定されたことを特徴とするトイレ装置である。
【００１４】
このトイレ装置によれば、レールをフックで固定することにより、部品点数や作業工数が少ないため、コストを低くすることができる。
【００１５】
第５の発明は、第１または第２の発明において、前記レールは、前記下ケース及び前記上ケースのいずれかにねじで固定されたことを特徴とするトイレ装置である。
【００１６】
このトイレ装置によれば、レールをねじで固定することにより、上ケース（または下ケース）の金型構成が複雑にならないため、レールの配置の制約が少ない。
【００１７】
第６の発明は、第１または第２の発明において、前記レールは、前記下ケース及び前記上ケースのいずれかに両面粘着テープで固定されたことを特徴とするトイレ装置である。
【００１８】
このトイレ装置によれば、レールを両面粘着テープで固定することにより、上ケース（または下ケース）の金型構成が複雑にならないため、レールの配置の制約が少ない。また、位置決めリブを設ける場合には、厚さも高さも大きくする必要はないため、ヒケなど外観への影響も少ない。
【００１９】
第７の発明は、前記レールは、前記下ケース及び前記上ケースのいずれかと一体的に成形されたことを特徴とするトイレ装置である。
【００２０】
このトイレ装置によれば、上ケース（または下ケース）の金型の構成上、上ケース（または下ケース）の上面に開口部ができる。そのため、上ケース（または下ケース）の上面の開口部（または）を、蓋で塞ぐ必要がある。開口部を形成して蓋で覆う構造とすることにより、上ケース（または下ケース）の外面にヒケなどが生ずることがなく、外観への影響も少ない。また、蓋を加飾プレートとし、製品の状態表示や製品銘版と兼用すると、部品点数や作業工数が少なく、コストを低くすることができる。
【発明の効果】
【００２１】
本発明の態様によれば、少ないスペースで上ケースと下ケースとを繋ぐ電気配線を確実に収納できるトイレ装置を提供できる。
【図面の簡単な説明】
【００２２】
【図１】図１は、本実施形態にかかるトイレ装置を側方から眺めた模式全体図である。
【図２】図２は、本発明の実施の形態にかかるトイレ装置の模式断面図である。
【図３】図３は、本実施形態にかかるトイレ装置１００の上ケース８を裏方から眺めた模式断面図である。
【図４】図４は、本実施形態にかかるトイレ装置１００のレール１９の部分の模式縦断面図である。
【図５】図５は、本実施形態にかかるトイレ装置１００の上ケース８が下ケース７に取り付けられている状態を背面から眺めた模式斜視図である。
【図６】図６は、本実施形態にかかるトイレ装置１００の上ケース８が下ケース７から取り外された状態を背面から眺めた模式斜視図である。
【図７】図７は、本実施形態にかかるトイレ装置１００の上ケース８が下ケース７から取り外された状態を背面から眺めた模式斜視図である。
【図８】図８は、本実施形態にかかるトイレ装置１００の上ケース８が下ケース７に取り付けられている状態を背面から眺めた模式斜視図である。
【図９】図９は、本実施形態にかかるトイレ装置１００の上ケース８が下ケース７から取り外された状態を背面から眺めた模式斜視図である。
【図１０】図１０は、本実施形態にかかるトイレ装置のレール１９がフックで固定されている状態を表す部分拡大斜視図である。
【図１１】図１１は、本実施形態にかかるトイレ装置のレール１９がねじで固定されている状態を表す部分縦断面図である。
【図１２】図１２は、本実施形態にかかるトイレ装置のレール１９が両面粘着テープで固定されている状態を表す部分縦断面図である。
【図１３】図１３は、本実施形態にかかるトイレ装置においてレール１９が上ケース８（または下ケース７）と一体的に成形されている状態を表す部分縦断面図である。
【発明を実施するための形態】
【００２３】
以下、本発明の実施の形態について説明する。  
図１は、本実施形態にかかるトイレ装置を側方から眺めた模式全体図である。  
また、図２は、本発明の実施の形態にかかるトイレ装置の模式断面図である。  
本実施形態のトイレ装置１００は、本体１と、便座２と、便ふた３と、を備える。トイレ装置１００の本体１は、下ケース７と、上ケース８と、を有する。下ケース７は、便器５の上に固定される。例えば、ベースプレート６をボルト４により便器５に固定し、このベースプレート６に下ケース７を係合させることにより、下ケース７を便器５に固定することができる。上ケース８は、下ケース７に取り付けられる。便座２と便蓋３は、例えば上ケース８に回動自在に軸支されている。
【００２４】
下ケース７は、第１の部品を有し、上ケース８は、第２の部品を有する。そして、これら第１の部品と第２の部品とは電気配線により接続されている。  
第１の部品としては、例えば、温水洗浄機構の洗浄ノズル１０の動作を制御する制御基板９を挙げることができる。便座２内に設けられたヒータなどの便座加熱手段１１には、制御基板９により制御された電力が供給されるようにしてもよい。
【００２５】
一方、第２の部品としては、例えば、上ケース８の内側に設けられた、リモコン受光基板１２や、人体検知センサ１３や、便座便ふた開閉装置１４などを挙げることができる。これらの第２の部品は、第１の部品である制御基板９と、電気配線を介して電気的に接続されている。  
なお、本実施形態において、トイレ装置１００は、温水洗浄機構と便座暖房機構の両方を備える必要はない。すなわち、本実施形態のトイレ装置１００は、例えば、温水洗浄機構と便座暖房機構のいずれかのみを備えていてもよい。あるいは、温水洗浄機構とも便座暖房機構とも異なる他の機構、例えば、トイレ使用時の臭気を抑制する脱臭機構や、トイレ室を暖房する室暖機構など、各種の機構の少なくともいずれかを備えたものであってもよい。
【００２６】
図３は、本実施形態にかかるトイレ装置１００の上ケース８を裏方から眺めた模式断面図である。  
図４は、本実施形態にかかるトイレ装置１００のレール１９の部分の模式縦断面図である。  
上ケース８の内側に設けられた、リモコン受光基板１２、人体検知センサ１３、便座便ふた開閉装置１４には、それぞれ電気配線１５が接続されている。これら電気配線１５は、下ケース７に設けられた制御基板９などに接続されている。そして、上ケース８の内側には、レール１９が取り付けられている。
【００２７】
電気配線１５は、支持体２０により支持されている。支持体２０は、配線ガイド１６と、締結部１７と、ランナー１８と、を有する。配線ガイド１６は、電気配線１５を結束し、あるいはスライド可能に支持している。配線ガイド１６の締結部１７の先端には、ランナー１８が設けられている。ランナー１８は、上ケース８に設けられたレール１９の内側に組み込まれ、レール１９に沿って左右方向に自在に動くことができる。つまり、電気配線１５を支持する支持体２０は、レール１９によりスライド自在に支持されている。
【００２８】
図５は、本実施形態にかかるトイレ装置１００の上ケース８が下ケース７に取り付けられている状態を背面から眺めた模式斜視図である。  
また、図６及び図７は、本実施形態にかかるトイレ装置１００の上ケース８が下ケース７から取り外された状態を背面から眺めた模式斜視図である。  
なお、図５〜図７においては、上ケース８の背面側を一部切断して表した。
【００２９】
図５に表したように、上ケース８を下ケース７に取り付けた状態においては、レール１９に支持された支持体２０は、レール１９に沿って移動し、背面からみてレール１９の右側に位置する。電気配線は支持体２０に引っ張られ、レール１９に沿って折りたたまれた状態でコンパクトに収納されるため、上ケース８と下ケース７とで、電気配線を噛みこんでしまうこともない。
【００３０】
一方、図６に表したように、上ケース８を下ケース７から取り外した状態においては、電気配線１５はこれら上下ケース７、８間で伸びた状態となる。このとき、レール１９に支持された支持体２０は、背面からみてレール１９の左側にスライドした位置する。これにより、電気配線１５が伸びた状態となり、上ケース８と下ケース７との間に距離を保てるため、製品組立作業時やメンテナンス作業時が容易となる。
【００３１】
また、支持体２０の配線ガイド１６が電気配線１５を強く結束せず、電気配線１５が配線ガイド１６の中を滑って移動できるようにしておくと、図７に表したように、配線ガイド１６からみて上ケース８の側にたるんでいた電気配線１５Ａ（図５参照）を伸ばして、上ケース８と下ケース７との間隔をさらに大きくすることができる。
【００３２】
本実施形態によれば、製品の組立作業やメンテナンス作業においては、電気配線１５は伸びた状態となり、上ケース８を開き易くなるため、作業性が向上する。一方で、上ケース８を下ケース７に嵌合する際には、電気配線１５はレール１９に沿って折りたたまれた状態となるので、上下ケース７、８間に電気配線を噛みこむことがなく、作業性が向上する。また、電気配線１５は、レール１９に沿って折りたたまれた状態で収納されるので、収納するためのスペースも小さくて済み、トイレ装置本体のサイズもコンパクトにできる。
【００３３】
また、下ケース７と比べて上ケース８のほうが、取り付けられている部品の点数が少なく、レール１９を取り付けるスペースも確保しやすい。つまり、上ケース８にレール１９を取り付けると、部品レイアウトなどを変更することなく、レール１９を取り付けることが可能となる点で有利となる場合がある。
【００３４】
本実施形態においては、図５に表したように支持体２０がレールの右側に移動するように、支持体２０を付勢するスプリングなどの付勢手段を設けてもよい。つまり、上ケース８を下ケース７に取り付けたときに電気配線１５のたるみを抑制する方向に、支持体２０を付勢する付勢手段を設けてもよい。  
こうすれば、上ケース８を下ケース７に取り付けるとき、支持体２０はスプリングなどにより付勢されてレール１９の右側方向に順次移動する。その結果として、電気配線１５は、上下ケース７、８の間隔が狭くなるに従って順次折りたたまれ、図５に表した収納状態にスムーズに移行できる。
【００３５】
本実施形態において、レール１９は、下ケース７の側に設けることもできる。  
図８は、本実施形態にかかるトイレ装置１００の上ケース８が下ケース７に取り付けられている状態を背面から眺めた模式斜視図である。  
また、図９は、本実施形態にかかるトイレ装置１００の上ケース８が下ケース７から取り外された状態を背面から眺めた模式斜視図である。  
なお、図８及び図９においては、下ケース７と上ケース８の背面側をそれぞれ一部切断して表した。
【００３６】
本具体例においては、レール１９は下ケース７に取り付けられている。図８に表したように、上ケース８を下ケース７に取り付けた状態においては、レール１９に支持された支持体２０は、レール１９に沿って移動し、背面からみてレール１９の左側に位置する。電気配線は支持体２０に引っ張られ、レール１９に沿って折りたたまれた状態でコンパクトに収納されるため、上ケース８と下ケース７とで、電気配線を噛みこんでしまうこともない。
【００３７】
一方、図９に表したように、上ケース８を下ケース７から取り外した状態においては、電気配線１５はこれら上下ケース７、８間で伸びた状態となる。このとき、レール１９に支持された支持体２０は、背面からみてレール１９の右側にスライドした位置する。これにより、電気配線１５が伸びた状態となり、上ケース８と下ケース７との間に距離を保てるため、製品組立作業時やメンテナンス作業時が容易となる。
【００３８】
また、本具体例においても、支持体２０の配線ガイド１６が電気配線１５を強く結束せず、電気配線１５が配線ガイド１６の中を滑って移動できるようにしておくと、図９に表したように、配線ガイド１６からみて下ケース７の側にたるんでいた電気配線を伸ばして、上ケース８と下ケース７との間隔をさらに大きくすることができる。
【００３９】
また、本具体例においても、支持体２０を付勢するスプリングなどの付勢手段を設けてもよい。こうすれば、上ケース８を下ケース７に取り付けるとき、支持体２０はスプリングなどにより付勢されてレール１９の右側方向に順次移動する。その結果として、電気配線１５は、上下ケース７、８の間隔が狭くなるに従って順次折りたたまれ、図８に表した収納状態にスムーズに移行できる。
【００４０】
本具体例においても、図５〜図７に関して前述した各種の効果を同様に得られる。レール１９を上ケース８に設けるか、それとも下ケース７に設けるか、は、本体１の形状や、収容される部品の配置関係、電気配線１５の両端の位置などに応じて、適宜決定できる。また、上ケース８を下ケース７に取り付けた状態と、取り外した状態と、で、支持体２０がレール１９の左右いずれに位置するか、についても、電気配線１５の両端の位置やレール１９の位置などに応じて、適宜決定することができる。
【００４１】
次に、レール１９の固定方法について説明する。  
図１０は、本実施形態にかかるトイレ装置のレール１９がフックで固定されている状態を表す部分拡大斜視図である。  
図１０に表したように、レール１９は、上ケース８（または下ケース７）に対してフック２０で固定することができる。フック２０は、例えば樹脂により形成され、上ケース８（または下ケース７）と一体的に成形することができる。レール１９は、例えばアルミニウムのような金属により形成してもよく、樹脂などで形成してもよい。
【００４２】
レール１９をフック２０に対して下から嵌めると、フック２０が左右に撓む。フック２０が左右に撓むことで、レール１９に設けられた突起１９ａがフック２０の開口２０ａに嵌る。レール１９に設けられた突起１９ａがフック２０の開口２０ａに嵌ることで、レール１９は上ケース８（または下ケース７）に固定される。  
このようにレール１９をフック２０で固定する方法は、部品点数や作業工数が少ないため、コストを低くすることができる。
【００４３】
図１１は、本実施形態にかかるトイレ装置のレール１９がねじで固定されている状態を表す部分縦断面図である。  
図１１に表したように、レール１９は、上ケース８（または下ケース７）に対してねじ２１で固定することができる。なお、図１１において、レール１９の延在方向は、紙面に対して垂直な方向である。
【００４４】
ねじボス８ａは、例えば樹脂により形成され、上ケース８（または下ケース７）と一体的に成形することができる。レール１９には、フランジ１９ｂが設けられている。フランジ１９ｂには、ねじ２１の軸部が貫通する開口穴が開いている。フランジ１９ｂを介在させてねじ２１を締結することで、レール１９は上ケース８（または下ケース７）に固定される。  
このようにレール１９をねじ２１で固定する方法は、上ケース８（または下ケース７）の金型構成が複雑にならないため、レール１９の配置の制約が少ない。
【００４５】
図１２は、本実施形態にかかるトイレ装置のレール１９が両面粘着テープで固定されている状態を表す部分縦断面図である。  
図１２に表したように、レール１９は、上ケース８（または下ケース７）に対して両面粘着テープ２２で固定することができる。
【００４６】
位置決めリブ８ｂ（または７ｂ）は、例えば樹脂により形成され、上ケース８（または下ケース７）と一体的に成形することができる。両面粘着テープ２２を、位置決めリブ８ｂ、８ｂ（７ｂ、７ｂ）の間か、あるいはレール１９に予め貼り付けておく。そして、レール１９を位置決めリブ８ｂ、８ｂ（７ｂ、７ｂ）の間に配置して押しつけることで、レール１９は上ケース８（または下ケース７）に固定される。  
このようにレール１９を両面粘着テープ２２で固定する方法は、上ケース８（または下ケース７）の金型構成が複雑にならないため、レール１９の配置の制約が少ない。また、位置決めリブ８ｂは、厚さも高さも大きくする必要はないため、ヒケなど外観への影響も少ない。
【００４７】
図１３は、本実施形態にかかるトイレ装置においてレール１９が上ケース８（または下ケース７）と一体的に成形されている状態を表す部分縦断面図である。  
レール１９は、図１３に表したように上ケース８（または下ケース７）と一体的に成形することができる。その場合には、上ケース８（または下ケース７）の金型の構成上、上ケース８（または下ケース７）の上面に開口部８Ａ（または７Ａ）ができる。そのため、上ケース８（または下ケース７）の上面の開口部８Ａ（または７Ａ）を、蓋２３で塞ぐ必要がある。  
蓋２３は、上ケース８（または下ケース７）の材料と同じ材料により形成してもよい。あるいは、蓋２３を加飾プレートとし、製品の状態表示や製品銘版と兼用すると、部品点数や作業工数が少なく、コストを低くすることができる。また、開口部８Ａ（または７Ａ）を形成して蓋２３で覆う構造とすることにより、上ケース８（または下ケース７）の外面にヒケなどが生ずることがなく、外観への影響も少ない。
【００４８】
以上、具体例を参照しつつ、本発明の実施の形態について説明した。しかし、本発明の実施形態は、これらの具体例に限定されるものではない。例えば、トイレ装置の形状や寸法、内部に設けられる機構や、その配置などに関しては、当業者が公知の範囲から適宜選択することにより本発明を同様に実施し、同様の効果を得ることができる限り、本発明の範囲に包含される。  
また、電気配線１５、配線ガイド１６、締結部１７、ランナー１８、レール１９などの形状、寸法、配置などについても、当業者が適宜設計変更して実施し得る全ての抵抗変化素子及び不揮発性記憶装置も、本発明の要旨を包含する限り、本発明の範囲に属する。
【００４９】
また、各具体例のいずれか２つ以上の要素を技術的に可能な範囲で組み合わせたものも、本発明の要旨を包含する限り本発明の範囲に含まれる。
【００５０】
その他、本発明の実施の形態として上述したトイレ装置を当業者が適宜設計変更して実施し得る全てのトイレ装置も、本発明の要旨を包含する限り、本発明の範囲に属する。  
その他、本発明の思想の範疇において、当業者であれば、各種の変更例及び修正例に想到し得るものであり、それら変更例及び修正例についても本発明の範囲に属するものと了解される。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
２ 便座、４ ボルト、５ 便器、６ ベースプレート、７ 下ケース、８ 上ケース、８Ａ 開口部、８ａ ボス、  ８ｂ リブ、９ 制御基板、１０ 洗浄ノズル、１１ 便座加熱手段、１２ リモコン受光基板、１３ 人体検知センサ、１４ 開閉装置、１５ 電気配線、 １６ 配線ガイド、１７ 締結部、１８ ランナー、１９ レール、１９ａ 突起、１９ｂ フランジ、２０ フック、２０ａ 開口、２２ 両面粘着テープ、２３ 蓋、１００ トイレ装置
【図１】
2013221248.tif 000003
【図２】
2013221248.tif 000004
【図３】
2013221248.tif 000005
【図４】
2013221248.tif 000006
【図５】
2013221248.tif 000007
【図６】
2013221248.tif 000008
【図７】
2013221248.tif 000009
【図８】
2013221248.tif 000010
【図９】
2013221248.tif 000011
【図１０】
2013221248.tif 000012
【図１１】
2013221248.tif 000013
【図１２】
2013221248.tif 000014
【図１３】
2013221248.tif 000015